(57)【要約】【課題】  第１次記録媒体に蓄積されたデータを最終的に保存する第３次記録媒体の種類を予め考慮し、第２次記録媒体に効率的にバックアップする装置を提供する。【解決手段】  リムーバブル・フラッシュメモリ等の第１次記録媒体に蓄積されたデータのバックアップをハードディスク第２次記録媒体に行う際に、第１次記録媒体に蓄積されたデータを、最終的に保存するＣＤ−Ｒ、ＣＤ−ＲＷ、ＤＶＤ±Ｒ、ＤＶＤ±ＲＷ等の第３次記録媒体の種類毎の容量に合わせ、予め容量の属性を有するフォルダを第２次記録媒体内に生成し、第３次記録媒体の容量を計算しながらバックアップを行う。装置内に設けたフォルダ情報テーブルに、生成させる各々のフォルダの各種属性を持たせて管理可能である。既に、第２次記録媒体内に生成されているフォルダに空き容量が存在する場合でも、該フォルダに追加して記録しないようにロック可能である。【選択図】  図４
2007034655.tif 000002
【特許請求の範囲】
【請求項１】
第１次記録媒体に蓄積されたデータのバックアップを第２次記録媒体に行うバックアップストレージ装置であって、
前記第１次記録媒体に蓄積されたデータを最終的に保存する第３次記録媒体の種類毎の容量に合わせ、予め容量の属性を有するフォルダを第２次記録媒体内に生成し、前記第３次記録媒体の容量を計算しながら前記第１次記録媒体からのバックアップを行うことを特徴とするバックアップストレージ装置。
【請求項２】
前記第１次記録媒体に蓄積されたデータを最終的に保存する第３次記録媒体の種類毎の容量に合わせ、予め容量の属性を有するフォルダを第２次記録媒体内に生成し、前記第３次記録媒体の容量を計算しながら前記第１次記録媒体からのバックアップを行うにあたって、既に第２次記録媒体内に生成されているフォルダに空き容量が存在する場合でも、該フォルダに追加して記録しないようにロック可能としたことを特徴とする請求項１に記載のバックアップストレージ装置。
【請求項３】
前記第２次記録媒体に生成した各々のフォルダに容量属性を持たせて管理することを特徴とする請求項１又は２に記載のバックアップストレージ装置。
【請求項４】
前記第２次記録媒体に生成した各々のフォルダに各種属性を持たせて管理し、各属性毎に別々の第３次記録媒体に分けて保存するようにフォルダを生成し、該フォルダに前記第１次記録媒体のバックアップを行うことを特徴とする請求項１、２又は３に記載のバックアップストレージ装置。
【請求項５】
該バックアップストレージ装置内に設けたフォルダ情報テーブルに、生成させる各々のフォルダの各種属性を持たせて管理することを特徴とする請求項１乃至４のいずれかに記載のバックアップストレージ装置。
【請求項６】
前記第１次記録媒体は、リムーバブル・フラッシュメモリであることを特徴とする請求項１乃至５のいずれかに記載のバックアップストレージ装置。
【請求項７】
前記第２次記録媒体は、ハードディスクであることを特徴とする請求項１乃至６のいずれかに記載のバックアップストレージ装置。
【請求項８】
前記第３次記録媒体は、ＣＤ−Ｒ、ＣＤ−ＲＷ、ＤＶＤ±Ｒ、ＤＶＤ±ＲＷのいずれかであることを特徴とする請求項１乃至７のいずれかに記載のバックアップストレージ装置。
【発明の詳細な説明】
【技術分野】
【０００１】
本発明は、バックアップストレージ装置に関し、特に、リムーバブル・フラッシュメモリ等に蓄積されたデータのバックアップをハードディスク等に行うバックアップストレージ装置に関する。
【背景技術】
【０００２】
従来、リムーバブル・フラッシュメモリ（第１次記録媒体）に蓄積されたデータのバックアップを取る際、一般的には、１枚の媒体（第１次記録媒体）による１回のバックアップ操作で、ハードディスク（第２次記録媒体）内に１つのフォルダが、その時の日付けや時間等を使用したユニークなフォルダ名で生成され、そのまま保存されていた。
【０００３】
例えば、図１に示すように、従来の方法では、バックアップストレージ装置にフラッシュメモリを挿入し（ステップＡ１）、バックアップボタンをＯＮし（ステップＡ２）、ハードディスクにユニークな名前のフォルダを作成し（ステップＡ３）、このフォルダにコピーを開始し（ステップＡ４）、コピーが完了してハードディスクにフラッシュメモリに蓄積されたデータが保存される。
【０００４】
この種のバックアップストレージ装置は、単にリムーバブル・フラッシュメモリから装置内のハードディスクにバックアップを行うところまでをサポートするに過ぎない。しかし、実際には、この種のバックアップストレージ装置は、一時的な保存媒体に過ぎず、最終的には、ＣＤ−Ｒ、ＣＤ−ＲＷ、ＤＶＤ±Ｒ、ＤＶＤ±ＲＷ等の記録媒体（第３次記録媒体）にファイルを移動させる必要性が生じることが多い。
【０００５】
また、従来のバックアップストレージ装置では、生成したファイルを最終記録媒体であるＣＤ−Ｒ、ＣＤ−ＲＷ、ＤＶＤ±Ｒ、ＤＶＤ±ＲＷ等に書き込む際には、バックアップストレージ装置をＰＣに接続し、各々の記録媒体の容量毎にユーザが計算してフォルダを整理し、書き込みを行う必要があった。
【０００６】
さらに、この種のバックアップストレージ装置には、小型・軽量・簡略化のため、キーボードやマウス等の入力デバイスは存在せず、ＰＣのような詳細なファイルマネージャ機能も備えていないのが一般的である。そのため、ＰＣを使用した時のように、ユーザが任意にフォルダ名を決定して入力することや、ユーザが容量を考慮して任意のフォルダを選択してコピーすることは容易ではない。仮に、そのような機能が備わっていたとしても、バックアップ時の工程が多くなり、操作の迅速性の面で不利になる。
【０００７】
そこで、上記問題を解決するため、データを記録媒体にバックアップする際に、記録媒体の容量を計算し、空き容量に収めることができるようにフォルダを自動的に生成し、バックアップを行うといった従来の技術を用いることも考えられる。しかし、従来の技術では、第３次記録媒体の容量別の情報等を、単純に生成時に最初に決定したフォルダの名前に意味を持たせることだけで管理しているため、フォルダ毎に属性を変化させることはできなかった。そのため、既にハードディスク内に生成されているフォルダに空き容量があり、ユーザがそのフォルダには追加して記録したくないような場合でも、自動的にそのフォルダに次のファイルのバックアップを詰めて記録してしまうという不都合が生じていた。さらに、従来の技術では、個別のフォルダに対して容量の属性を持たないため、フォルダを生成する工程でフォルダの残り容量を毎回サーチする必要があり、迅速性の面で不利であった。
【０００８】
また、複数のフラッシュメモリからバックアップを取る際、撮影に使用したカメラ機材毎や、撮影シーン毎等で、別々の記録媒体に保存するようにバックアップを行いたいような場合等でも、従来の技術では、撮影に使用したカメラ機材毎や、撮影シーン毎等の情報を、単純に生成時に最初に決定したフォルダの名前に意味を持たせることだけで管理しているため、フォルダ毎に属性を変化させることが不可能であった。
【０００９】
実際のユーザがこの種のバックアップストレージ装置を用い、リムーバブル・フラッシュメモリ（第１次記録媒体）に蓄積されたファイルのバックアップを取ろうとする際には、その後最終的に保存する記録媒体（第３次記録媒体）の種類毎の容量を意識してフォルダを生成したいとする需要があるが、その際、最終記録媒体（第３次記録媒体）の容量に相当するハードディスク（第２次記録媒体）のフォルダ単位で、たとえ、まだフォルダ内に空き容量が残っていても、そのフォルダには追記せず、その状態で一区切りとしたい場合がある。しかし、従来の技術では、そのような需要に対応することができなかった。
【発明の開示】
【発明が解決しようとする課題】
【００１０】
上述のように、従来のバックアップストレージ装置では、第３次記録媒体の容量別の情報等を単純に生成時に最初に決定したフォルダの名前に意味を持たせることだけで管理しているため、フォルダ毎に属性を変化させることができず、既にハードディスク（第２次記録媒体）内に生成されているフォルダに空き容量があり、ユーザがそのフォルダには追加して記録したくないといった場合でも、自動的にそのフォルダに次のファイルのバックアップを詰めて記録してしまうという問題があった。
【００１１】
また、個別のフォルダに対して容量の属性を持っていないため、フォルダを生成する工程でフォルダの残り容量を毎回サーチする必要があり、迅速性の面で不利であるという問題があった。
【００１２】
さらに、撮影に使用したカメラ機材毎や、撮影シーン毎等の情報を、単純に生成時に最初に決定したフォルダの名前に意味を持たせることだけで管理しているため、複数のフラッシュメモリからバックアップを取る際、撮影に使用したカメラ機材毎や、撮影シーン毎等で別々の記録媒体に保存するようにバックアップを行いたい場合でも、フォルダ毎に属性をその都度変化させることが不可能であるという問題があった。
【００１３】
そこで、本発明は、上記従来のバックアップストレージ装置における問題点に鑑みてなされたものであって、デジタルカメラ等により撮影され、リムーバブル・フラッシュメモリ（第１次記録媒体）に蓄積されたデータのバックアップをハードディスク（第２次記録媒体）に行うバックアップストレージ装置において、リムーバブル・フラッシュメモリ（第１次記録媒体）に蓄積されたデータを、最終的に保存するＣＤ−Ｒ、ＣＤ−ＲＷ、ＤＶＤ±Ｒ、ＤＶＤ±ＲＷ等（第３次記録媒体）の種類を予め考慮し、第２次記録媒体に効率的にバックアップを行うことができるバックアップストレージ装置を提供することを目的とする。また、その際、既にハードディスク（第２次記録媒体）内に生成されているフォルダに空き容量があっても、そのフォルダに追加して記録しないようにすることを可能とするバックアップストレージ装置を提供することを目的とする。
【００１４】
また、本発明は、上記に加え、フォルダを生成する工程でフォルダの残り容量を毎回サーチする必要がなく、迅速性の面で有利なバックアップストレージ装置を提供することを目的とする。
【００１５】
さらに、本発明は、複数のフラッシュメモリ等からバックアップを取る際、ハードディスクのファイルシステムにより管理されているフォルダ名に依存することなく、撮影に使用したカメラ機材毎や、撮影シーン毎等のグループ毎にバックアップを行うことを可能とするバックアップストレージ装置を提供することを目的とする。
【課題を解決するための手段】
【００１６】
上記目的を達成するため、本発明は、第１次記録媒体に蓄積されたデータのバックアップを第２次記録媒体に行うバックアップストレージ装置であって、前記第１次記録媒体に蓄積されたデータを最終的に保存する第３次記録媒体の種類毎の容量に合わせ、予め容量の属性を有するフォルダを第２次記録媒体内に生成し、前記第３次記録媒体の容量を計算しながら前記第１次記録媒体からのバックアップを行うことを特徴とする。
【００１７】
そして、本発明によれば、フォルダ毎に容量属性を変化させることができるため、第１次記録媒体に蓄積されたデータを最終的に保存する第３次記録媒体の種類を予め考慮し、第１次記録媒体に蓄積されたデータのバックアップを第２次記録媒体に効率的に行うことができる。
【００１８】
前記バックアップストレージ装置において、前記第１次記録媒体に蓄積されたデータを最終的に保存する第３次記録媒体の種類毎の容量に合わせ、予め容量の属性を有するフォルダを第２次記録媒体内に生成し、前記第３次記録媒体の容量を計算しながら前記第１次記録媒体からのバックアップを行うにあたって、既に第２次記録媒体内に生成されているフォルダに空き容量が存在する場合でも、該フォルダに追加して記録しないようにロック可能とすることができる。
【００１９】
また、前記バックアップストレージ装置において、前記第２次記録媒体に生成した各々のフォルダに容量属性を持たせて管理することができる。これにより、前記第２次記録媒体にフォルダを生成するにあたって、フォルダの残り容量を毎回サーチする必要がなく、迅速性に優れたバックアップストレージ装置を提供することができる。
【００２０】
さらに、前記バックアップストレージ装置において、前記第２次記録媒体に生成した各々のフォルダに各種属性を持たせて管理し、各属性毎に別々の第３次記録媒体に分けて保存するようにフォルダを生成し、該フォルダに前記第１次記録媒体のバックアップを行うことができる。これによって、例えば、複数のフラッシュメモリからバックアップを取る際、ハードディスクのファイルシステムにより管理されているフォルダ名に依存することなく、撮影に使用したカメラ機材毎や、撮影シーン毎等で別々の記録媒体に保存するようにフォルダに対してグループ属性を持たせ、そのグループ毎にバックアップを行うことが可能となる。
【００２１】
前記バックアップストレージ装置において、該バックアップストレージ装置内に設けたフォルダ情報テーブルに、生成させる各々のフォルダの各種属性を持たせて管理することができる。また、前記第１次記録媒体は、リムーバブル・フラッシュメモリであってもよく、前記第２次記録媒体をハードディスクとすることもでき、前記第３次記録媒体を、ＣＤ−Ｒ、ＣＤ−ＲＷ、ＤＶＤ±Ｒ、ＤＶＤ±ＲＷのいずれかから選択することもできる。
【発明の効果】
【００２２】
以上のように、本発明によれば、第１次記録媒体に蓄積されたデータを最終的に保存する第３次記録媒体の種類を予め考慮し、第２次記録媒体に効率的にバックアップを行うことができる。
【発明を実施するための最良の形態】
【００２３】
本発明は、例えば、デジタルカメラ等により撮影され、リムーバブル・フラッシュメモリ（第１次記録媒体）に蓄積されたデータのバックアップをハードディスク（第２次記録媒体）に行うバックアップストレージ装置において、最終的に保存する記録媒体（第３次記録媒体）を選択入力し、その容量とフラッシュメモリの内部データの容量とを比較し、自動的に容量の属性を持つフォルダを生成する際に、そのフォルダに持たせる属性をハードディスクのファイルシステムにより管理されるフォルダ名ではなく、フォルダ情報テーブルとして装置内に持たせることを特徴とするものである。
【００２４】
すなわち、本発明にかかるバックアップストレージ装置は、最終的にデータを記録するＣＤ−Ｒ、ＣＤ−ＲＷ、ＤＶＤ±Ｒ、ＤＶＤ±ＲＷ等（第３次記録媒体）の媒体の容量別の種類を入力する手段と、フォルダへの追記録をしないようにロックさせる属性を入力する手段と、フォルダの容量やロック等の属性を記録するフォルダ情報テーブルを生成する手段と、対象とするフラッシュメモリ（第１次記録媒体）内のファイル容量を確認する手段と、フラッシュメモリ内のファイル容量とフォルダ情報テーブルの内容とを比較、判断する手段と、フォルダ情報テーブルの属性に応じてハードディスク（第２次記録媒体）内にユニークな名前のフォルダを生成する手段と、フォルダの各種属性を記録するフォルダ情報テーブルと、ファイルを保存するハードディスクとを備える。
【００２５】
次に、上記構成を有するバックアップストレージ装置の動作を、図２及び図３のフローチャートを参照しながら説明する。
【００２６】
まず、対象とするフラッシュメモリを本装置に挿入し（ステップＢ１）、バックアップボタンをＯＮ（ステップＢ２）する。その後、最終的にデータを記録する媒体ｍを選択入力する（ステップＢ３）。ステップＢ４では、対象とするフラッシュメモリ内のファイル容量を確認し、ｖにその値を格納する。その後、装置内に格納されているフォルダ情報テーブルを参照し、ｍの媒体条件に一致する対象フォルダにおいて、ｎ（ｎは正の整数）が最大となるフォルダを検索する（ステップＢ５）。
【００２７】
フォルダ情報テーブルは、図４に示すように、フォルダ名（Ｆ）と、第３次記録媒体種類（ｍ）と、連番属性（ｎ）と、残容量（ｂ）と、追記録ロック属性（ｒ）とで構成される。
【００２８】
ステップＢ６では、検索の結果、フォルダ情報テーブル内に条件の一致するフォルダＦｍｎが存在するかどうかを判断し、存在しなかった場合には、ｎの値に１を格納し（ステップＢ１０）、ステップＢ１１にて装置内にフォルダＦｍｎを作成し、フォルダ情報テーブル内にそのフォルダＦｍｎの情報（Ｆ、ｍ、ｎ、ｂ＝ｍ、ｒ＝０）を格納し、テーブルを更新する。一方、ステップＢ６にてフォルダ情報テーブル内に条件の一致するフォルダＦｍｎが存在した場合には、ステップＢ７において、そのフォルダのｒの値をフォルダ情報テーブルから参照する。ｒが０であった場合には、ステップＢ８にてｎに現状の最大値を格納する。ｒが１であった場合は、ｎに現状の最大値に１を加えた値を代入し（ステップＢ９）、ステップＢ１１にて装置内にフォルダＦｍｎを作成し、フォルダ情報テーブル内に、そのフォルダＦｍｎの情報（Ｆ、ｍ、ｎ、ｂ＝ｍ、ｒ＝０）を格納し、テーブルを更新する。
【００２９】
その後、ステップＢ１２において、フォルダ情報テーブルの対象フォルダの残容量ｂの値を参照する。ステップＢ１３において、残容量ｂとステップＢ４において確認したフラッシュメモリ内のファイル容量とを比較し、ｂ≧ｖであった場合には、対象フォルダＦｍｎ下に任意のユニークな名前のフォルダを作成（ステップＢ１４）し、そのフォルダに容量ｖのコピーを行う（ステップＢ１５）。その後、ステップＢ１６にてフォルダ情報テーブルの対象フォルダの場所にｂ＝ｂ−ｖの容量値を格納し、テーブルを更新する。
【００３０】
ステップＢ１７では、ｂの値を確認し、ｂ＞０でない場合には、ステップＢ１９においてフォルダ情報テーブルのｒに１を格納して更新する。また、ｂ＞０であった場合には、ステップＢ１８において追記録のロックをするか否かを選択し、ロックする場合には、ステップＢ１８においてフォルダ情報テーブルのｒに１を格納し、更新する。一方、ステップＢ１３においてｂ≧ｖでなかった場合には、対象フォルダＦｍｎの下に任意のユニークな名前のフォルダを作成（ステップＢ２０）し、そのフォルダに書き込み可能な容量ｂだけコピーを行う（ステップＢ２１）。その後、ｖの値にｖ−ｂを格納し（ステップＢ２２）、ステップＢ２３においてフォルダ情報テーブルのｂに０を格納し、ステップＢ２４でｒに１を格納して更新する。ステップＢ２５では、ｎの値にｎ＋１を格納し、ステップＢ１１のフローに戻る。
【００３１】
以上のように、本発明にかかるバックアップストレージ装置よれば、ユーザがリムーバブル・フラッシュメモリ（第１次記録媒体）に蓄積されたデータのバックアップをハードディスク（第２次記録媒体）に行う際、最終的に保存する記録媒体（第３次記録媒体）を選択入力することにより、その容量に合わせた容量の属性を持つフォルダを自動的に生成し、そのフォルダの下にバックアップを行うことを可能とし、また、既にハードディスク（第２次記録媒体）内に生成されているフォルダに空き容量があっても、そのフォルダに追加して記録しないようにフォルダに対してロックをかけることを可能としている。
【００３２】
さらに、フラッシュメモリ（第１次記録媒体）からハードディスク（第２次記録媒体）にバックアップを取る際、そのフラッシュメモリを使用したカメラ機材毎や、撮影シーン毎等の属性をフラッシュメモリ単位で選択入力し、その属性をハードディスクのファイルシステムにではなく、バックアップストレージ装置内のフォルダ情報テーブルに記録し、その内容に基づいて判断することで、ハードディスクのファイルシステムにより管理されているフォルダ名に依存することなく、属性毎に別々の記録媒体に分けて保存するようにフォルダを自動的に生成し、そのフォルダの下にバックアップを行うことを可能としている。また、フォルダを生成する工程でフォルダの残り容量を毎回サーチする必要がなく、迅速性に優れたバックアップストレージ装置を提供することができる。
【００３３】
次に、本発明にかかるバックアップストレージ装置の第２の実施の形態について説明する。本実施の形態では、第１の実施の形態の手段に加え、撮影に使用したカメラ機材毎や、撮影シーン毎等の情報を入力する手段と、その属性をフォルダ情報テーブルに保存する手段と、フォルダ情報テーブル内の撮影に使用したカメラ機材毎や、撮影シーン毎等の属性を読み取り判断する手段とを備える。
【００３４】
これらの手段により、第１の実施の形態で提供される機能に加え、複数のフラッシュメモリからバックアップを取る際、ハードディスクのファイルシステムにより管理されているフォルダ名に依存することなく、撮影に使用したカメラ機材毎や、撮影シーン毎等で別々の記録媒体に保存するように、フォルダに対しグループ属性を持たせ、グループ毎にバックアップを行うことが可能となる。
【００３５】
次に、このバックアップストレージ装置の動作について、図５及び図６のフローチャートを参照しながら説明する。
【００３６】
まず、対象とするフラッシュメモリを本装置に挿入し（ステップＣ１）、バックアップボタンをＯＮ（ステップＣ２）する。その後、最終的にデータを記録する媒体ｍを選択入力する（ステップＣ３）。また、ステップＣ４では、カメラ別の属性番号としてｃを選択入力し、ステップＣ５では、撮影シーン別の属性番号としてｓを選択入力する。次に、ステップＣ６で対象とするフラッシュメモリ内のファイル容量を確認し、ｖにその値を格納する。その後、装置内に格納されているフォルダ情報テーブルを参照し、ｍの媒体条件の一致する対象フォルダにおいて、ｎ（ｎは数字）が最大となるフォルダを検索する（ステップＣ７）。
【００３７】
フォルダ情報テーブルは、図７に示すように、フォルダ名（Ｆ）と、第３次記録媒体種類（ｍ）と、カメラ別属性（ｃ）と、撮影シーン別属性（ｓ）と、連番属性（ｎ）と、残容量（ｂ）と、追記録ロック属性（ｒ）とで構成される。
【００３８】
次に、ステップＣ８において、検索の結果、フォルダ情報テーブル内に条件の一致するフォルダＦｍｃｓｎが存在するか否かを判断し、存在しなかった場合には、ｎの値に１を格納し（ステップＣ１３）、ステップＣ１２にて装置内にフォルダＦｍｃｓｎを作成し、フォルダ情報テーブル内にそのフォルダＦｍｃｓｎの情報（Ｆ、ｍ、ｃ、ｓ、ｎ、ｂ＝ｍ、ｒ＝０）を格納し、テーブルを更新する。
【００３９】
一方、ステップＣ８にて、フォルダ情報テーブル内に条件の一致するフォルダＦｍｃｓｎが存在した場合には、ステップＣ９にてそのフォルダのｒの値をフォルダ情報テーブルから参照する。ｒが０であった場合には、ステップＣ１０にてｎに現状の最大値を格納する。ｒが１であった場合には、ｎに現状の最大値に１を加えた値を代入し（ステップＣ１１）、ステップＣ１２にて装置内にフォルダＦｍｃｓｎを作成し、フォルダ情報テーブル内に、そのフォルダＦｍｃｓｎの情報（Ｆ、ｍ、ｃ、ｓ、ｎ、ｂ＝ｍ、ｒ＝０）を格納し、テーブルを更新する。
【００４０】
その後、ステップＣ１４において、フォルダ情報テーブルの対象フォルダの残容量ｂの値を参照する。ステップＣ１５において、残容量ｂと、ステップＣ６において確認したフラッシュメモリ内のファイル容量とを比較し、ｂ≧ｖであった場合には、対象フォルダＦｍｃｓｎの下に任意のユニークな名前のフォルダを作成（ステップＣ１６）し、そのフォルダに容量ｖのコピーを行う（ステップＣ１７）。
【００４１】
次に、ステップＣ１８にて、フォルダ情報テーブルの対象フォルダの場所に、ｂ＝ｂ−ｖの容量値を格納し、テーブルを更新する。ステップＣ１９では、ｂの値を確認し、ｂ＞０でない場合には、ステップＣ２１においてフォルダ情報テーブルのｒに１を格納して更新する。また、ｂ＞０であった場合には、ステップＣ２０において追記録のロックをするか否かを選択し、ロックする場合には、ステップＣ２１においてフォルダ情報テーブルのｒに１を格納して更新する。ステップＣ１５においてｂ≧ｖでなかった場合には、対象フォルダＦｍｃｓｎの下に任意のユニークな名前のフォルダを作成（ステップＣ２２）し、そのフォルダに書き込み可能な容量ｂだけコピーを行う（ステップＣ２３）。その後、ｖの値にｖ−ｂを格納し（ステップＣ２４）、ステップＣ２５においてフォルダ情報テーブルのｂに０を格納し、ステップＣ２６でｒに１を格納して更新する。ステップＣ２７では、ｎの値にｎ＋１を格納してステップＣ１２のフローに戻る。
【００４２】
以上のように、本実施の形態では、第１の実施の形態で提供される機能に加え、複数のフラッシュメモリからバックアップを取る際、ハードディスクのファイルシステムにより管理されているフォルダ名に依存することなく、撮影に使用したカメラ機材毎や、撮影シーン毎等で別々の記録媒体に保存するようにフォルダに対してグループ属性を持たせることにより、そのグループ毎にバックアップを行うことが可能となる。
【図面の簡単な説明】
【００４３】
【図１】従来のバックアップストレージ装置の一例の動作を示すフローチャートである。
【図２】本発明にかかるバックアップストレージ装置の第１の実施の形態を示すフローチャートである。
【図３】本発明にかかるバックアップストレージ装置の第１の実施の形態を示すフローチャートである。
【図４】本発明にかかるバックアップストレージ装置の第１の実施の形態で用いるフォルダ情報テーブルを示す図である。
【図５】本発明にかかるバックアップストレージ装置の第２の実施の形態を示すフローチャートである。
【図６】本発明にかかるバックアップストレージ装置の第２の実施の形態を示すフローチャートである。
【図７】本発明にかかるバックアップストレージ装置の第２の実施の形態で用いるフォルダ情報テーブルを示す図である。
【符号の説明】
【００４４】
Ｆ  フォルダ名
ｍ  第３次記録媒体種類
ｎ  連番属性
ｂ  残容量
ｒ  追記録ロック属性
ｃ  カメラ別属性
ｓ  撮影シーン別属性
【図１】
2007034655.tif 000003
【図２】
2007034655.tif 000004
【図３】
2007034655.tif 000005
【図４】
2007034655.tif 000006
【図５】
2007034655.tif 000007
【図６】
2007034655.tif 000008
【図７】
2007034655.tif 000009